(57)【要約】【課題】貯留された液体と空気との接触機会の増加を抑制しつつ、貯留された液体を容易に撹拌混合することができるリザーババッグを提供する。【解決手段】血液を含む２種類以上の液体Ｌを貯留し、液体Ｌを急速輸液装置１に供給するリザーババッグ４は、吊下部２０と、吊下部２０から袋状に延びると共に、液体Ｌを導入する導入部２２と液体Ｌを排出する排出部２３とを有する貯留部２１と、を備え、貯留部２１は可撓性を有している。貯留部２１が可撓性を有するため、貯留された液体Ｌによって貯留部２１が膨らむと共に、この膨らんだ貯留部２１を手で揉むことができる。そして、リザーババッグ４を手で揉むことで、リザーババッグ４全体を振ることなく、貯留された液体Ｌを撹拌混合することができる。これにより、貯留された液体Ｌと空気との接触機会の増加を抑制しつつ、貯留された液体Ｌを容易に撹拌混合することができる。【選択図】図５
2015157042.tif 000002
【特許請求の範囲】
【請求項１】
血液又は血液製剤を含む２種類以上の液体を貯留し、前記液体を急速輸液装置に供給するリザーババッグであって、
吊下部と、
前記吊下部から袋状に延びると共に、前記液体を導入する導入部と前記液体を排出する排出部とを有する貯留部と、
を備えており、
前記貯留部は、可撓性を有することを特徴とするリザーババッグ。
【請求項２】
前記貯留部は、前記吊下部から延びる貯留本体部と、前記貯留本体部から前記吊下部とは反対側に延びる液溜部とを有し、
前記貯留本体部は、前記導入部が形成されており、
前記液溜部は、前記貯留本体部よりも幅狭で、前記排出部が形成されていることを特徴とする請求項１に記載のリザーババッグ。
【請求項３】
前記排出部は、前記貯留部内まで挿入される挿入管であり、
前記挿入管は、前記貯留部内において前記吊下部から前記貯留部が延びる方向に略直交する方向に延在することを特徴とする請求項１又は２に記載のリザーババッグ。
【請求項４】
前記排出部は、前記貯留部内まで挿入される挿入管であり、
前記挿入管は、前記貯留部内において前記貯留部の下辺と略平行に延在することを特徴とする請求項１又は２に記載のリザーババッグ。
【請求項５】
前記貯留部は、前記貯留部内において、前記導入部側の領域と前記排出部側の領域とを区画するフィルタを備えることを特徴とする請求項１〜４の何れか一項に記載のリザーババッグ。
【発明の詳細な説明】
【技術分野】
【０００１】
本発明は、全血や血液製剤等の血液成分を含む液体を輸液する急速輸液装置に適用されるリザーババッグに関する。
【背景技術】
【０００２】
従来、患者の治療に要する血液製剤等の液体をポンプで圧送して患者に輸液する輸液装置として、例えば特許文献１に記載されたものが知られている。特許文献１に記載された輸液装置では、全血や血液製剤等の複数の液体が供給されるリザーバ（貯留槽）が備えられている。このリザーバに複数の液体が一旦貯留されることで、輸液装置に供給される液体における血液成分等の濃度の均一化が図られている。
【先行技術文献】
【特許文献】
【０００３】
【特許文献１】米国特許出願公開第２０１１／０１２５２３２号明細書
【発明の開示】
【発明が解決しようとする課題】
【０００４】
ところで、急速輸液装置では、血液成分等の濃度を効率よく均一化することと、急速輸液装置に供給される液体中の気泡を極力減らすことの両立が望まれている。この点、上記従来技術では、リザーバが硬質な素材で構成されていることから、一定時間毎にリザーバ全体を振ることで液体を撹拌混合させ、血液成分等の濃度の均一化を図る必要がある。
【０００５】
しかしながら、一定時間毎にリザーバ全体を振る作業には、以下のように不都合がある。すなわち、液体が貯留されている状態のリザーバは一定の重さがあるため、看護師等がこの作業を行うとなると大変な作業となり、看護師等の負担が大きくなる。一方、この作業を装置により自動化すると、装置の製作コスト等の負担が生じる。
【０００６】
また、リザーバ全体を振ると、液面が大きく変動して液体と空気との接触機会が増加する。このため、血液成分等の濃度の均一化が図れても、液体中の気泡が増加することがあった。
【０００７】
本発明は、かかる点に鑑みてなされたものであり、貯留された液体と空気との接触機会の増加を抑制しつつ、貯留された液体を容易に撹拌混合することができるリザーババッグを提供することを目的とする。
【課題を解決するための手段】
【０００８】
本発明に係るリザーババッグは、血液又は血液製剤を含む２種類以上の液体を貯留し、液体を急速輸液装置に供給するリザーババッグであって、吊下部と、吊下部から袋状に延びると共に、液体を導入する導入部と液体を排出する排出部とを有する貯留部と、を備えており、貯留部は、可撓性を有することを特徴とする。
【０００９】
本発明に係るリザーババッグによれば、貯留部が可撓性を有するため、貯留された液体によって貯留部が膨らむと共に、この膨らんだ貯留部を手で揉むことができる。そして、リザーババッグを手で揉むことで、リザーババッグ全体を振ることなく、貯留された液体を撹拌混合することができる。これにより、貯留された液体と空気との接触機会の増加を抑制しつつ、貯留された液体を容易に撹拌混合することができる。
【００１０】
この場合、貯留部は、吊下部から延びる貯留本体部と、貯留本体部から吊下部とは反対側に延びる液溜部とを有し、貯留本体部は、導入部が形成されており、液溜部は、貯留本体部よりも幅狭で、排出部が形成されていることが好ましい。液溜部が貯留本体部よりも幅狭に形成されていることにより、貯留部に液体が貯留された際に、貯留本体部の断面積よりも液溜部の断面積が小さくなる。このため、貯留部に貯留される液体が少量であっても、貯留本体部に比べて液溜部での液位を高くできるため、液溜部に形成された排出部が液面から露出するのを抑制することができる。その結果、排出部から空気が排出されることを抑制することができる。
【００１１】
また、排出部は、貯留部内まで挿入される挿入管であり、挿入管は、貯留部内において吊下部から貯留部が延びる方向に略直交する方向に延在することが好ましい。貯留部内において吊下部から貯留部が延びる方向に略直交する方向に挿入管が延在することにより、挿入管の延在方向は貯留された液体の液面に沿う方向となる。このため、排出部が液面から部分的に露出することが抑制され、排出部から空気が排出されることを一層抑制することができる。
【００１２】
また、排出部は、貯留部内まで挿入される挿入管であり、挿入管は、貯留部内において貯留部の下辺と略平行な方向に延在することが好ましい。これにより、リザーババッグ内の液体量が減少した際に、貯留部の下辺部に残された液体を残留させることなく、下辺部に沿った挿入管から排出することができる。
【００１３】
また、貯留部は、貯留部内において、導入部側の領域と排出部側の領域とを区画するフィルタを備えることが好ましい。この場合、導入部から貯留部に導入された液体は、排出部に至るまでにフィルタを通過することから、貯留部から排出される液体中に血液の凝固物等が混入することを抑制することができる。
【発明の効果】
【００１４】
本発明によれば、貯留された液体と空気との接触機会の増加を抑制しつつ、貯留された液体を容易に撹拌混合することができる。
【図面の簡単な説明】
【００１５】
【図１】本実施形態に係るリザーババッグが吊下げられた急速輸液装置を示す斜視図である。
【図２】本実施形態に係るリザーババッグが吊下げられた急速輸液装置の背面図である。
【図３】急速輸液装置の液体回路の一例を示す図である。
【図４】急速輸液装置のブロック図である。
【図５】本実施形態に係るリザーババッグを示す正面図である。
【図６】本実施形態に係るリザーババッグに液体が貯留された状態を示す概略斜視図である。
【図７】変形例に係るリザーババッグを示す正面図である。
【発明を実施するための形態】
【００１６】
以下、図面を参照しつつ本発明の好適な実施形態について詳細に説明する。なお、本実施形態で用いる「液体」とは、赤血球、白血球、または血小板などの血液成分を含む液体を広く意図しており、輸血用の全血製剤、赤血球製剤、血小板製剤、血漿製剤などの血液製剤及び生理食塩水を含む。
【００１７】
本実施形態に係るリザーババッグ４（図５及び図６参照）は、急速輸液装置１に吊下げられており、急速輸液装置１における液体回路２に液体Ｌを供給する。急速輸液装置１は、治療において血液製剤などの液体を患者に導入する装置であり、特に、緊急を要する場合に、冷蔵保存された液体を適当な温度まで加温しながら送液する装置である。急速輸液装置１には血液成分を含む液体が通過する液体回路２が装着される。最初に、液体回路２について説明し、その後、急速輸液装置１及びリザーババッグ４を詳述する。
（液体回路）
【００１８】
図１及び図３に示されるように、液体回路２は、例えば、合成樹脂製（塩化ビニルなど）のチューブなどを備えており、液体Ｌが通過する流路を形成している。液体回路２は、急速輸液装置１の所定位置に設置され、急速輸液装置１の駆動によって液体回路２内の液体Ｌが移送され、また、液体回路２内を通過する液体Ｌが適宜に加温される。
【００１９】
液体回路２は、基本的に外気から遮断された閉鎖系の液体流路であり、低温貯蔵によって品質管理されていた血液や抗凝固剤等の液体（以下、「液体Ｌ」）を貯留するリザーババッグ４と、液体Ｌを移送する送液ライン１０と、送液ライン１０の終端に設けられて液体Ｌを排出する穿刺針接続部５と、送液ライン１０の経路上に設けられたドリップチャンバ７と、を備えている。
【００２０】
送液ライン１０は、リザーババッグ４と穿刺針接続部５とを連絡する液体流路であり、送液ライン１０の途中には、ドリップチャンバ７が取り付けられている。送液ライン１０のうち、ドリップチャンバ７を挟んだ上流側は上流側ライン１１であり、下流側は下流側ライン１２である。
【００２１】
ドリップチャンバ７は、流路を形成するチューブの内径に比べて幅の広い筒状容器であり、ドリップチャンバ７内に流入した液体Ｌから気泡が分離捕捉される。ドリップチャンバ７は、長手方向が上下を向くように急速輸液装置１に設置され、上部には気泡排出口７ａと液体受入口７ｃとが設けられ、下端部には液体排出口７ｂが設けられている。
【００２２】
上流側ライン１１の途中には、合成樹脂製でプレート状の加温バッグ１３が設けられている。加温バッグ１３は、後述する加温装置８０に接触等するように急速輸液装置１内に挿入される。加温バッグ１３には液体Ｌが通過する蛇行流路１３ａが形成されており、蛇行流路１３ａの入口１３ｂと出口１３ｃとには、それぞれチューブが接続されている。入口１３ｂ側のチューブはリザーババッグ４に接続されており、出口１３ｃ側のチューブはドリップチャンバ７の液体受入口７ｃに接続されている。
【００２３】
また、ドリップチャンバ７の液体排出口７ｂにはチューブが接続され、このチューブの下流側の端部には、穿刺針接続部５が設けられている。また、ドリップチャンバ７の気泡排出口７ａにはチューブが接続され、このチューブの他方の端部はリザーババッグ４に接続されている。ドリップチャンバ７の液体排出口７ｂに接続されたチューブは下流側ライン１２を形成し、気泡排出口７ａに接続されたチューブは気泡戻しライン１５を形成する。また、下流側ライン１２を形成するチューブは、途中の分岐部１２ａで分岐し、リザーババッグ４に接続される。下流側ライン１２の分岐部１２ａから分岐するチューブは、追加気泡戻しライン１７を形成する。
【００２４】
また、液体回路２の主要部は、回路パネル３に組み付けられ、一体的にまとめられている。回路パネル３を急速輸液装置１の所定位置に装着することで、間接的、且つ簡易に液体回路２の主要部の急速輸液装置１への装着が完了する。
（急速輸液装置）
【００２５】
図１〜図４に示されるように、急速輸液装置１は、液体回路２を通過する液体Ｌを送液する送液ポンプＰ１、液体Ｌを加温する加温装置８０、液体Ｌ中の気泡を検出する各検出器３０ａ、３０ｂ、３０ｃ、液体回路２のチューブを締め付けて流路を閉じ、締め付けを解いて流路を開く主クランプ３１、及び副クランプ３２を備え、更に、送液ポンプＰ１、気泡除去ポンプＰ２，及び加温装置８０等の制御を行う制御部５０を備えている。
【００２６】
急速輸液装置１の筐体４０は、コンパクトでスリムな体形を意識して設計されており、奥行きに比べて正面、及び背面の幅がかなり狭くなっている。筐体４０は、側面視で縦長の略矩形であり、更に、上部が前方に嘴状に突き出した形状になっている。この嘴状の形状により、筐体４０の正面上部には、傾斜面４０ａが形成されている。また、筐体４０の上端である略平坦な部分は、周縁よりも内側の方が僅かに窪んだトレー部４０ｂが形成されており、作業時の物置として適宜利用できる。
【００２７】
筐体４０の正面上部に設けられた傾斜面４０ａには、操作パネル６０が設けられている。操作パネル６０には、表示モニター６１、停止スイッチ６２、各種設定ボタン６３、二つの流量調整つまみ（以下「流量調整ハンドル」という）６４、６５が配置されている。二つの流量調整ハンドル６４、６５のうち、一方は、通常の輸液等の際に使用される流量調整ハンドル６４であり、他方は、緊急時の急速輸液等の際に使用される流量調整ハンドル６５である。操作パネル６０を傾斜面４０ａに配置することで、少なくとも立った状態で作業する医療従事者にとっての利便性、作業性は向上する。
【００２８】
操作パネル６０の下方には、送液ポンプＰ１が設けられている。送液ポンプＰ１は、矩形のボックス内で回転するロータを備え、このロータがチューブを一定方向に扱くように回転することで、液体回路２内の液体Ｌを圧送する。なお、本実施形態に係る送液ポンプＰ１は操作パネル６０よりも奥に隠れた位置に配置されており、傾斜面４０ａではなく、鉛直面上に配置されている。しかしながら、送液ポンプＰ１についても液体回路２のチューブをローラの所定位置に巻き付けて装着する際の利便性を考慮し、操作パネル６０と同様に傾斜面４０ａに設けるようにしても良い。
【００２９】
送液ポンプＰ１の下方には、液体回路２の加温バッグ１３が挿入される縦長のスロット４１が設けられている。スロット４１は、加温装置８０の挿入口となる部分であり、スロット４１内に加温装置８０が内蔵されている。スロット４１は、下端の方が上端よりも手前側に突き出すように傾斜しており、加温バッグ１３を挿入する際の作業性の向上という点で有利である。
【００３０】
筐体４０の側面には、液体回路２の回路パネル３を所定位置に保持する複数のフック４４が設けられている。これらのフック４４は、回路パネル３に形成された孔部３ａや切欠き３ｂに係合して回路パネル３を所定位置に位置決めする。
【００３１】
また、この側面には、液体回路２が所定位置に設置された状態において、上流側ライン１１に対応して配置された検出器３０ａ、下流側ライン１２の分岐部１２ａよりも上流側に配置された第１下流側検出器３０ｂ、下流側に配置された第２下流側検出器３０ｃ、分岐部１２ａよりも下流側の流路を開閉する主クランプ３１，追加気泡戻しライン１７を開閉する副クランプ３２、及び気泡戻しライン１５に配置された気泡除去ポンプＰ２等が設けられている。
【００３２】
筐体４０の底部には、キャスター４５ａを有する台車部４５が４か所に設けられ、筐体４０が移動可能とされている。
【００３３】
筐体４０の背面には、各種液体の貯留バッグを吊り下げて支持するスタンド部４７が設けられている。各種液体の貯留バッグとは、リザーババッグ４、血液成分を含む液体Ｌを貯留する血液成分貯留バッグ４Ａ、プライミング用液体（生理食塩水等）を貯留するプライミング液貯留バッグ４Ｂ、血液成分貯留バッグ４Ｃ等である。なお、血液成分貯留バッグ４Ａ、４Ｃとは、チューブを介してリザーババッグ４に接続されている。また、プライミング液貯留バッグ４Ｂは、プライミング処理を施す際にリザーババッグ４に接続される。プライミング処理では、液体Ｌがリザーババッグ４内に導入される前に、プライミング液で液体回路２が満たされる。
【００３４】
また、急速輸液装置１は、各検出器３０ａ、３０ｂ、３０ｃで検出された値に基づいて送液ポンプＰ１、気泡除去ポンプＰ２、主クランプ３１、副クランプ３２を制御し、更に、加温装置８０への電力供給を制御する制御部５０を備えている。制御部５０は、ＣＰＵ，ＲＡＭ，ＲＯＭなどが実装された制御基板やメモリ及び各種制御信号の送受信を行う通信モジュールなどを備えており、制御基板が所定のプログラムに従って動作処理を行うことにより、各種機能（例えば、流量調整機能）を実現してもよい。
【００３５】
制御部５０は、操作パネル６０に接続されており、操作パネル６０で医療従事者等による操作を受け付けると、その操作信号が制御部５０に入力され、その操作信号に基づいた制御が行われる。
【００３６】
例えば、制御部５０は、各検出器３０ａ、３０ｂ、３０ｃに有線又は無線によって接続されていており、各検出器３０ａ、３０ｂ、３０ｃで検出された値に基づいて送液ライン１０内を通過する液体Ｌ中の気泡の有無を監視する。
【００３７】
また、制御部５０は、送液ポンプＰ１及び気泡除去ポンプＰ２に有線又は無線によって接続されており、送液ポンプＰ１を制御することで上流側ライン１１を通過する液体Ｌの流量である送液流量を制御する。また、制御部５０は、気泡除去ポンプＰ２を制御することで気泡戻しライン１５を通過する液体Ｌ及び気泡の少なくとも一方の流量である戻し流量を制御する。つまり、制御部５０は、送液流量と戻し流量とを制御することにより、ドリップチャンバ７内の液面が所定の高さよりも降下しないように制御しており、基本的には、送液流量よりも戻し流量の方が少なくなるように制御している。
【００３８】
また、制御部５０は、第１下流側検出器３０ｂや第２下流側検出器３０ｃでの検出値に基づいて主クランプ３１を制御して下流側ライン１２を開閉させ、また、副クランプ３２を制御して追加気泡戻しライン１７を開閉させる。
【００３９】
また、制御部５０は、電源ユニット７０に接続されており、電源ユニット７０を制御することで、加温装置８０への電流の供給を制御する。電源ユニット７０は、基本的に外部電源に接続されており、制御部５０からの制御信号を受けて加温装置８０への電流の供給、停止を行う。電源ユニット７０は加温装置８０に電流を供給する電流供給部に相当する。
（リザーババッグ）
【００４０】
本実施形態に係るリザーババッグ４は、血液を含む２種類以上の液体Ｌを貯留し、液体Ｌを急速輸液装置１に供給する袋体である。リザーババッグ４は、図５に示されるように、正面視で略矩形状を呈している。リザーババッグ４は、表裏一対の可撓性を有する樹脂シートを貼り合わせることで袋体に形成されている。樹脂シートとしては、例えば厚み０．４ｍｍのポリ塩化ビニル製シートが用いられる。リザーババッグ４は、その周縁部に溶着部Ｗを有しており、例えば、表裏一対の樹脂シートが重ね合わせられて、溶着部Ｗが高周波溶着によって溶着されることにより形成される。なお、以下の説明において、上下等の方向は、リザーババッグ４が吊下げられた状態での方向をいう。リザーババッグ４は、吊下部２０と、貯留部２１とを備えている。
【００４１】
吊下部２０は、リザーババッグ４の上端部に設けられており、例えば正面視でリザーババッグ４の上辺に沿って横長となる略矩形状を呈している。吊下部２０では、吊下部２０の周縁部が溶着部Ｗにおいて溶着されることで、液体Ｌの重さに対応できる強度が確保されている。
【００４２】
吊下部２０は、複数の吊下孔２０ａを有している。吊下部２０は、スタンド部４７に設けられたフックが吊下孔２０ａに挿通されることで、急速輸液装置１によって吊下げられる（図１，２参照）。吊下孔２０ａを形成する周円部２０Ｗは、例えば溶着部Ｗと同様にして溶着されている。吊下孔２０ａは、この周円部２０Ｗによって液体Ｌの重さに対応できる強度が確保されている。
【００４３】
貯留部２１は、吊下部２０から袋状に延びる袋体であり、液体Ｌを貯留する。貯留部２１は、貯留部２１の周縁部が溶着部Ｗにおいて溶着されることで袋体に形成されている。貯留部２１は、可撓性を有しており、貯留された液体Ｌによって膨らむと共に、この膨らんだ貯留部２１を手で揉むことができる。貯留部２１は、貯留本体部２１ａと、液溜部２１ｂと、フィルタ２５とを有している。
【００４４】
貯留本体部２１ａは、吊下部２０から下方に延びており、正面視で上下方向に略一定幅の略矩形状を呈している。貯留本体部２１ａは、例えば吊下部２０と略同一の幅とされている。貯留本体部２１ａには、導入部２２として、貯留部２１の内外を連通する３本の導入管２２Ａ、２本の導入管２２Ｂ及び１本の導入管２２Ｃが設けられている。
【００４５】
導入管２２Ａ、導入管２２Ｂ及び導入管２２Ｃは、樹脂パイプによって形成され、例えば外径６．７ｍｍのポリ塩化ビニル製パイプが用いられる。導入管２２Ａ、導入管２２Ｂ及び導入管２２Ｃは、溶着部Ｗにおいて表裏一対の樹脂シートに挟まれた状態で溶着されている。
【００４６】
導入管２２Ａは、管状に形成されており、貯留部２１に液体Ｌを導入する液体導入部である。導入管２２Ａは、貯留本体部２１ａの上部に設けられており、それぞれ血液成分貯留バッグ４Ａ、４Ｃが接続される。
【００４７】
導入管２２Ｂは、管状に形成されており、貯留部２１に気泡を戻す気泡戻し部である。導入管２２Ｂは、貯留本体部２１ａの上部に設けられており、それぞれ気泡戻しライン１５及び追加気泡戻しライン１７が接続される。
【００４８】
導入管２２Ｃは、管状に形成されており、貯留部２１にプライミング液を導入するプライミング液導入部である。導入管２２Ｃは、貯留本体部２１ａの下部に設けられており、プライミング液貯留バッグ４Ｂが接続される。
【００４９】
液溜部２１ｂは、貯留本体部２１ａから吊下部２０とは反対側に（貯留本体部２１ａから下方に）延びており、貯留部２１の内部において貯留本体部２１ａと連続する袋体を形成している。液溜部２１ｂは、貯留本体部２１ａよりも幅狭に形成されている。言い換えると、液溜部２１ｂでは、吊下部２０から貯留本体部２１ａが延びる方向と直交する面の内周長が、貯留本体部２１ａでの当該内周長よりも短く形成されている。液溜部２１ｂは、例えば正面視で上方側の辺が長辺となる略台形形状を呈している。液溜部２１ｂの下方側の辺（下辺）は、リザーババッグ４を吊り下げた際に水平方向と略平行に延在する。液溜部２１ｂには、排出部２３が形成されている。
【００５０】
排出部２３は、貯留部２１から液体Ｌを排出する。排出部２３は、貯留部２１に設けられており、例えば液溜部２１ｂの側面の溶着部Ｗに設けられる。排出部２３は、樹脂パイプによって管状に形成された挿入管である。樹脂パイプとしては、例えば、外径６．７ｍｍのポリ塩化ビニル製パイプが用いられる。排出部２３は、溶着部Ｗにおいて表裏一対の樹脂シートに挟まれた状態で溶着されることで、貯留部２１内まで挿入された状態に形成される。排出部２３は、少なくとも貯留部２１内において、吊下部２０から貯留部２１が延びる方向に略直交する方向に延在し、リザーババッグ４を吊り下げた際には水平方向と略平行に延在する。すなわち、排出部２３は、少なくとも貯留部２１内において貯留部２１の下辺と略平行に延在する。また、排出部２３は、貯留部２１内において排出部２３の内外を連通する複数の開口Ｈを有する。排出部２３は、急速輸液装置１の液体回路２が接続される。
【００５１】
フィルタ２５は、液体Ｌに含まれる血液の凝固物等の固形成分を除去する。フィルタ２５としては、例えば、目開き寸法が２１０μｍ未満の合成樹脂製メッシュが用いられる。フィルタ２５は、貯留部２１内において、導入部２２側の領域と排出部２３側の領域とを区画している。このため、導入部２２から導入された液体Ｌは、必ずフィルタ２５を通過して、排出部２３から排出される。フィルタ２５は、例えば液溜部２１ｂ内に全体的に配置されている。
【００５２】
次に、本実施形態に係るリザーババッグ４による作用効果について説明する。
【００５３】
リザーババッグ４には、患者等に輸液する際、血液成分貯留バッグ４Ａと血液成分貯留バッグ４Ｃとがそれぞれチューブを介して接続される。血液成分貯留バッグ４Ａからの液体と、血液成分貯留バッグ４Ｃからの液体とが、それぞれ導入部２２を介して貯留部２１に導入される。これらの液体Ｌは、異なる導入部２２から別々に導入されるため、貯留部２１に導入された後に濃度の均一となっていないことがある。そのため、撹拌混合により濃度の均一化を図る必要がある。
【００５４】
この点、本実施形態における貯留部２１は、可撓性を有していることから、これらの液体Ｌが導入されると、貯留された液体Ｌによって膨らむと共に、この膨らんだ貯留部２１を手で揉むことができる。膨らんだ貯留部２１を手で揉むことにより、貯留部２１の外部から内部に向かう力を作用させると、膨らんでいた貯留部２１が萎むと共に、貯留部２１内の液体Ｌが流動する。そして、上記力を取り除くと、貯留部２１が再度膨らむと共に、貯留部２１内の液体Ｌが流動する。看護師等の作業者は、膨らんだ貯留部２１を手で揉むことによって貯留部２１内で液体Ｌを流動させ、容易に撹拌混合することができる。このように、リザーババッグ４を手で揉むことで、リザーババッグ４全体を振ることなく、貯留された液体Ｌを撹拌混合することができる。これにより、貯留された液体Ｌと空気との接触機会の増加を抑制しつつ、貯留された液体Ｌを容易に撹拌混合することができる。
【００５５】
この場合、リザーババッグ４全体を振る場合と異なり、液体Ｌの流動に伴う液体Ｌと空気との接触機会の増加を抑えられる。すなわち、リザーババッグ４全体を振る場合、液体Ｌの液面が大きく変動するため、液体Ｌは、貯留部２１内の空気と共に撹拌混合される。これに対し、膨らんだ貯留部２１を手で揉む場合、液体Ｌの液面は、貯留部２１の膨らみ具合の変化に応じて略鉛直方向に沿って変動するため、液体Ｌは、貯留部２１内の空気とは互いに分離されたままで撹拌混合される。従って、リザーババッグ４を手で揉むことにより、液体Ｌと空気との接触機会の増加を抑制しつつ、貯留された液体Ｌを容易に撹拌混合することができる。
【００５６】
また、上述の患者への輸液をする前の前準備として、プライミング処理が行われる。このプライミング処理では、プライミング液は、プライミング液貯留バッグ４Ｂからリザーババッグ４を介して液体回路２に供給される。このプライミング液によって、液体回路２内の空気が押し出され、液体回路２内がプライミング液で満たされる。このように、プライミング処理は液体回路２内の空気を押し出すことが目的であるため、貯留部２１から排出されるプライミング液は気泡を含まないことが望まれる。また、液体回路２を満たしているプライミング液及びリザーババッグ４に残ったプライミング液は、プライミング処理の後、穿刺針接続部５を介して患者の体内に輸液される。そのため、リザーババッグ４に導入されるプライミング液の量は極力少量とすることが望まれる。
【００５７】
この点、本実施形態における液溜部２１ｂは、貯留本体部２１ａよりも幅狭に形成されていることにより、貯留部２１に液体Ｌが貯留された際に、貯留本体部２１ａの断面積よりも液溜部２１ｂの断面積が小さくなる。このため、貯留部２１に貯留される液体Ｌが少量であっても、貯留本体部２１ａに比べて液溜部２１ｂでの液位を高くできるため、液溜部２１ｂに形成された排出部２３が液面から露出するのを抑制することができる。その結果、排出部２３から空気が排出されることを抑制することができる。例えばプライミング処理の場合、気泡を含まないプライミング液を液体回路２に供給することができ、確実に液体回路２内の空気を押し出すことができると共に、リザーババッグ４に導入されるプライミング液の量を極力少量とすることができる。
【００５８】
また、排出部２３は、貯留部２１内まで挿入される挿入管であり、排出部２３は、貯留部２１内において吊下部２０から貯留部２１が延びる方向（上下方向）に略直交する方向に延在している。これにより、貯留部２１内における排出部２３の延在方向は、貯留された液体の液面に沿う方向となる。このため、排出部２３が液面から部分的に露出することが抑制され、排出部２３から空気が排出されることを一層抑制することができる。
【００５９】
また、排出部２３は、貯留部２１内まで挿入される挿入管であり、排出部２３は、貯留部２１内において貯留部２１の下辺と略平行な方向に延在している。これにより、リザーババッグ４内の液体Ｌの量が減少した際に、貯留部２１の下辺部に残された液体Ｌを残留させることなく、下辺部に沿った排出部２３から排出することができる。
【００６０】
また、貯留部２１は、貯留部２１内において、導入部２２側の領域と排出部２３側の領域とを区画するフィルタ２５を備えている。この場合、導入部２２から貯留部２１に導入された液体Ｌは、排出部２３に至るまでにフィルタ２５を通過することから、貯留部２１から排出される液体Ｌ中に血液の凝固物等が混入することを抑制することができる。
【００６１】
なお、排出部２３は、貯留部２１内において複数の開口Ｈを有している。これにより、開口Ｈが一つだけの場合に比べて、液体Ｌを排出部２３から排出するための経路断面積が大きくなるため、液体Ｌが排出部２３から好適に排出される。例えば、開口Ｈが複数あれば、フィルタ２５で捕えた血液の凝固物等によって一部の開口Ｈの開口面積が実質的に小さくなったとしても、他の開口Ｈを介して液体Ｌを排出することができる。その結果、急速輸液装置１における輸液速度の安定化を図ることができる。
【００６２】
以上、本発明の好適な実施形態について説明したが、本発明は上記実施形態に限定されるものではない。
【００６３】
例えば、上記実施形態では、貯留部２１は、液溜部２１ｂと、フィルタ２５とを有するものとして説明したが、貯留部２１は、これらを有しないものであってもよい。例えば、図７に示されるような変形例に係るリザーババッグ４Ｄであってもよい。
【００６４】
具体的には、変形例に係るリザーババッグ４Ｄは、基本的に上記実施形態のリザーババッグ４と同様であり、貯留部２１が液溜部２１ｂとフィルタ２５とを有していない点と、排出部２３の代わりに管２３ａが用いられている点とで異なっている。管２３ａは、基本的に上記実施形態での排出部２３と同様であり、貯留部２１の下端部の溶着部Ｗに上下方向に沿って延在するように設けられている点と、貯留部２１内において管２３ａの上端にのみ開口している点とで異なっている。しかし、リザーババッグ４Ｄでの貯留部２１は、上記実施形態の場合と同様に可撓性を有している。このため、リザーババッグ４Ｄによっても、貯留された液体と空気との接触機会の増加を抑制しつつ、貯留された液体を容易に撹拌混合することができる。
【００６５】
また、上記実施形態では、リザーババッグ４、吊下部２０、貯留本体部２１ａ及び液溜部２１ｂは略矩形形状を呈し、液溜部２１ｂは略台形形状を呈していたが、例えば、正面視で略円形であってもよいし、略球形や略円錐形の立体であってもよい。
【００６６】
また、上記実施形態では、液溜部２１ｂは、貯留本体部２１ａに対して水平方向に片寄った位置に形成されていたが（図５参照）、例えば、液溜部２１ｂは、貯留本体部２１ａに対して水平方向略中央の位置に形成されていてもよい。
【００６７】
また、上記実施形態では、排出部２３は管状に形成されていたが、例えば、孔によって構成されていてもよい。
【符号の説明】
【００６８】
１…急速輸液装置、４…リザーババッグ、２０…吊下部、２１…貯留部、２１ａ…貯留本体部、２１ｂ…液溜部、２２…導入部、２３…排出部、２５…フィルタ、Ｌ…液体。
【図１】
2015157042.tif 000003
【図２】
2015157042.tif 000004
【図３】
2015157042.tif 000005
【図４】
2015157042.tif 000006
【図５】
2015157042.tif 000007
【図６】
2015157042.tif 000008
【図７】
2015157042.tif 000009